(57)【特許請求の範囲】
【請求項１】
内視鏡の鉗子チャンネルに挿脱されるシース内に挿通配置された操作ワイヤを軸線方向に進退操作することによって、上記シースの先端に配置された一対の鉗子カップが各々支軸に回動自在に軸支されて上記支軸を中心に嘴状に開閉駆動されるようにした内視鏡用生検鉗子において、
上記一対の鉗子カップには回動支点となる上記支軸が通される軸孔が穿設されており、少なくとも一方の鉗子カップの軸孔が、上記一対の鉗子カップの噛み合わせ面に対して略直交する方向に上記支軸の直径より大きく拡げられて、上記支軸に対して変位可能に形成されていることを特徴とする内視鏡用生検鉗子。
【請求項２】
上記軸孔が、上記一対の鉗子カップの噛み合わせ面に対して略直交する方向に細長い長孔である請求項１記載の内視鏡用生検鉗子。
【請求項３】
上記軸孔が上記一対の鉗子カップの噛み合わせ面の延長線を挟んでその両側に延ばされた長孔である請求項２記載の内視鏡用生検鉗子。
【請求項４】
上記軸孔が上記一対の鉗子カップの噛み合わせ面の延長線の片側に延ばされた長孔である請求項２記載の内視鏡用生検鉗子。
【請求項５】
上記軸孔が、上記支軸に対して変位可能な嵌合状態となる円形孔である請求項１記載の内視鏡用生検鉗子。
【請求項６】
上記一対の鉗子カップのうち一方の軸孔だけが上記支軸に対して変位可能な嵌合状態となる円形孔であって、各鉗子カップの先端から軸孔の最短縁部までの距離を合致させてある請求項５記載の内視鏡用生検鉗子。
【請求項７】
上記一対の鉗子カップのうち一方の軸孔だけが上記支軸に対して変位可能な嵌合状態となる円形孔であって、各鉗子カップの先端から軸孔の中心位置までの距離を一致させてある請求項５記載の内視鏡用生検鉗子。
【発明の詳細な説明】
【０００１】
【発明の属する技術分野】
この発明は、内視鏡の鉗子チャンネルに挿通されて体腔内から生検組織標本を採取するために用いられる内視鏡用生検鉗子に関する。
【０００２】
【従来の技術】
図９は一般的な内視鏡用生検鉗子の先端部分を示しており、内視鏡の鉗子チャンネルに挿脱される可撓性のシース１内に挿通配置された操作ワイヤ２を軸線方向に進退操作することによって、シース１の先端に配置された一対の鉗子カップ１１が支軸１２を中心に嘴状に開閉駆動するようになっている。
【０００３】
生検組織を採取する際には、操作ワイヤ２を手元側に牽引して一対の鉗子カップ１１を閉じることにより、刃状に形成された各鉗子カップ１１の縁部によって組織が切断され、閉じた一対の鉗子カップ１１内に生検組織標本が採取される。
【０００４】
【発明が解決しようとする課題】
一対の鉗子カップ１１には、支軸１２が回転自在に嵌合する軸孔１３が各々に穿設されている。しがって、図１０に示されるように、軸孔１３が鉗子カップ１１の噛み合わせ面Ａの延長線上に正確に形成されていれば、一対の鉗子カップ１１が図９に示されるようにピッタリと噛み合い、生検組織を確実に切断することができる。
【０００５】
しかし実際には、機械加工誤差が生じるのは避け難いことであり、図１１に示されるように軸孔１３が本来の位置より外側にずれて、図１２に示されるように鉗子カップ１１の噛み合わせが先端で開いてしまったり、図１３に示されるように軸孔１３が本来の位置より内側にずれて、図１４に示されるように鉗子カップ１１の噛み合わせが腹部で開いてしまい、生検組織の切断が不確実になる場合が少なくない。なお、図１２と図１４には、ずれの状態がやや誇張して示されている。
【０００６】
そこで本発明は、軸孔の位置に機械加工誤差等があっても、一対の鉗子カップが正しく噛み合わされて、生検組織を確実に切断することができる内視鏡用生検鉗子を提供することを目的とする。
【０００７】
【課題を解決するための手段】
上記の目的を達成するため、本発明の内視鏡用生検鉗子は、内視鏡の鉗子チャンネルに挿脱されるシース内に挿通配置された操作ワイヤを軸線方向に進退操作することによって、上記シースの先端に配置された一対の鉗子カップが支軸を中心に嘴状に開閉駆動されるようにした内視鏡用生検鉗子において、上記一対の鉗子カップには上記支軸が通される軸孔が穿設されており、少なくとも一方の鉗子カップの軸孔が上記一対の鉗子カップの噛み合わせ面に対して略直交する方向に拡げられて上記支軸に対して変位可能に形成されていることを特徴とする。
【０００８】
なお、上記軸孔が、上記一対の鉗子カップの噛み合わせ面に対して略直交する方向に細長い長孔であってもよく、その場合、上記軸孔が上記一対の鉗子カップの噛み合わせ面の延長線を挟んでその両側に延ばされた長孔、又は上記軸孔が上記一対の鉗子カップの噛み合わせ面の延長線の片側に延ばされた長孔であってもよい。
【０００９】
また、上記軸孔が、上記支軸に対して変位可能な嵌合状態となる円形孔であってもよく、その場合、上記一対の鉗子カップのうち一方の軸孔だけが上記支軸に対して変位可能な嵌合状態となる円形孔であって、各鉗子カップの先端から軸孔の最短縁部までの距離を合致させてあってもよい。
【００１０】
また、上記一対の鉗子カップのうち一方の軸孔だけが上記支軸に対して変位可能な嵌合状態となる円形孔であって、各鉗子カップの先端から軸孔の中心位置までの距離を一致させてあってもよい。
【００１１】
【発明の実施の形態】
図面を参照して本発明の実施の形態を説明する。
図２は、内視鏡用生検鉗子を示しており、図示されていない内視鏡の鉗子チャンネルに挿脱される可撓性のシース１は例えば密着巻コイルパイプからなり、その内部には、軸線方向に進退自在に操作ワイヤが全長にわたって挿通配置されている。なおシース１は、密着巻コイルパイプに可撓性チューブを被覆したものや、その他の構成をとってもよい。
【００１２】
シース１の基端（手元側）には、操作ワイヤを進退操作させるための操作部２０が連結されており、シース１の先端には、操作ワイヤによって駆動される先端作動部１０が連結されている。
【００１３】
図１は先端作動部１０を示しており、シース１の先端に、先側から大きなスリット３が形成された先端本体４が連結固着されていて、そのスリット３の先端近傍を横断する状態に、支軸１２が先端本体４に取り付けられている。
【００１４】
一対の鉗子カップ１１は、支軸１２を中心に嘴状に開閉するように各々支軸１２に回動自在に軸支されており、鉗子カップ１１を開閉作動させるために操作ワイヤ２によって駆動される公知のリンク機構１５がスリット内に配置されている。
【００１５】
このリンク機構１５は、四つのリンク１５１〜１５４を互いに回動自在に環状に連結したいわゆるパンタグラフ状に形成されており、そのうちの先側の二つのリンク１５１，１５２は、一対の鉗子カップ１１に一体に連続して形成されていて、支軸１２を中心に回動する。
【００１６】
その二つのリンク１５１，１５２と連結軸１５５，１５６によって各々回動自在に連結された二つの中間リンク１５３，１５４は、連結軸１５７によって後端側で駆動ロッド１５８に回動自在に連結されている。
【００１７】
駆動ロッド１５８には、操作ワイヤ２の先端が連結固着されており、手元側（図１において右方）からの遠隔操作によってリンク機構１０を動作させ、操作ワイヤ２を先側へ押し込めば一対の鉗子カップ１１が二点鎖線で示されるように開き、操作ワイヤ２を手元側へ牽引すれば鉗子カップ１１が実線で示されるように閉じる。
【００１８】
図３は、上述のように構成された内視鏡用生検鉗子の一対の鉗子カップ１１のうちの一方を示しており、支軸１２が通される軸孔１３として、鉗子カップの噛み合わせ面Ａに対して略直交する方向に細長い長孔が穿設されている。図示されていない他方の鉗子カップ１１の軸孔１３は、支軸１２がガタつきなく挿通される太さに形成されている。
【００１９】
この軸孔１３の幅Ｗは支軸１２がほとんどガタつきなく通る寸法であり、長さＬは、鉗子カップ１１の噛み合わせ面Ａの延長線を挟んでその両側に延ばされて、支軸１２に対して変位可能に形成されている。具体的には、支軸１２の直径より例えば０．３〜０．５ｍｍ程度長く形成されている。
【００２０】
その結果、他方の鉗子カップ１１の軸孔１３に位置ずれがある場合でも、長孔状に形成された軸孔１３が支軸１２に対して偏位し、図１に示されるように一対の鉗子カップ１１が常にピッタリと閉じる状態になる。
【００２１】
なお、他方の鉗子カップ１１の軸孔１３のずれが、図１２に示されるように鉗子カップ１１の先端に隙間を開かせるものである場合には、図４に示されるように、鉗子カップ１１の噛み合わせ面Ａの延長線から内方にだけ延びた長孔状の軸孔１３であってもよい。
【００２２】
また、他方の鉗子カップ１１の軸孔１３のずれが図１４に示されるように鉗子カップ１１の腹部に隙間を開かせるものである場合には、図５に示されるように、鉗子カップ１１の噛み合わせ面Ａの延長線から外方にだけ延びた長孔状の軸孔１３であってもよい。また、一対の鉗子カップ１１の軸孔１３を両方とも長孔にしてもよい。
【００２３】
図６は、本発明の第２の実施の形態の内視鏡用生検鉗子の先端作動部１０を示しており、一方の鉗子カップ１１の軸孔１３の形状を、支軸１２に対して変位可能な嵌合状態となる円形孔にしたものであり、他方の鉗子カップ１１の軸孔１３は、支軸１２がガタつきなく挿通される太さに形成されている。その他は上述の第１の実施の形態と同じである。
【００２４】
軸孔１３の直径は、例えば支軸１２の直径に比べて０．３〜０．５ｍｍ程度大きく、このように構成しても第１の実施の形態と同様に一対の鉗子カップ１１の噛み合わせ面Ａどうしを隙間なく閉じることができる。
【００２５】
このような構造において、一対の鉗子カップ１１が噛み合わせの際に前後方向にずれないようにするためには、図７に示されるように、各鉗子カップ１１の先端から最短距離に位置する軸孔１３の縁部までの距離Ｙを、一対の鉗子カップ１１間で合致させるとよい。
【００２６】
ただし、図８に示されるように、各鉗子カップ１１の先端から軸孔１３の中心位置までの距離を一致させると、噛み合わせ時に鉗子カップ１１の先端どうしが僅かに前後方向にずれるが、そこに挟まれる生検組織に剪断力が作用して、むしろよく切断される場合もある。
【００２７】
【発明の効果】
本発明によれば、少なくとも一方の鉗子カップの軸孔を一対の鉗子カップの噛み合わせ面に対して略直交する方向に拡げて支軸に対して変位可能に形成したことにより、一対の鉗子カップが閉じられると軸孔が支軸に対して偏位して、軸孔の位置に機械加工誤差があっても一対の鉗子カップが正しく噛み合わされ、生検組織を確実に切断することができる。
【図面の簡単な説明】
【図１】本発明の第１の実施の形態の内視鏡用生検鉗子の先端部分を一部断面で示す側面図である。
【図２】本発明の第１の実施の形態の内視鏡用生検鉗子の側面図である。
【図３】本発明の第１の実施の形態の一方の鉗子カップの側面図である。
【図４】本発明の第１の実施の形態の一方の鉗子カップの変形例の側面図である。
【図５】本発明の第１の実施の形態の一方の鉗子カップの第２の変形例の側面図である。
【図６】本発明の第２の実施の形態の内視鏡用生検鉗子の先端部分を一部断面で示す側面図である。
【図７】本発明の第２の実施の形態の一方の鉗子カップの側面図である。
【図８】本発明の第２の実施の形態の一方の鉗子カップの変形例の側面図である。
【図９】従来の内視鏡用生検鉗子の先端部分を一部断面で示す側面図である。
【図１０】従来の一方の鉗子カップの側面図である。
【図１１】従来の一方の鉗子カップの側面図である。
【図１２】従来の内視鏡用生検鉗子の先端部分を一部断面で示す側面図である。
【図１３】従来の一方の鉗子カップの側面図である。
【図１４】従来の内視鏡用生検鉗子の先端部分を一部断面で示す側面図である。
【符号の説明】
１  シース
２  操作ワイヤ
１１  鉗子カップ
１２  支軸
１３  軸孔
Ａ  噛み合わせ面
【図１】
0004223606.tif 000002
【図２】
0004223606.tif 000003
【図３】
0004223606.tif 000004
【図４】
0004223606.tif 000005
【図５】
0004223606.tif 000006
【図６】
0004223606.tif 000007
【図７】
0004223606.tif 000008
【図８】
0004223606.tif 000009
【図９】
0004223606.tif 000010
【図１０】
0004223606.tif 000011
【図１１】
0004223606.tif 000012
【図１２】
0004223606.tif 000013
【図１３】
0004223606.tif 000014
【図１４】
0004223606.tif 000015